(57)【要約】【課題】データユニットを送信する方法及び装置を提供する。【解決手段】ＰＰＤＵを送信する方法は、ＳＴＡが第１の部分と第２の部分を含む前記ＰＰＤＵを生成するステップ及びＳＴＡが前記ＰＰＤＵを送信するステップを含み、第１の部分は、第１のＦＦＴの大きさによるＩＦＦＴが実行されて生成され、第２の部分は、第２のＦＦＴの大きさによるＩＦＦＦが実行されて生成され、第１のＦＦＴの大きさと第２のＦＦＴの大きさは異なる。【選択図】図１０
2016522614.tif 000002
【特許請求の範囲】
【請求項１】
ＰＰＤＵ（ＰＬＣＰ（ｐｈｙｓｉｃａｌ  ｌａｙｅｒ  ｃｏｎｖｅｒｇｅｎｃｅ  ｐｒｏｃｅｄｕｒｅ）  ｐｒｏｔｏｃｏｌ  ｄａｔａ  ｕｎｉｔ）を送信する方法において、
ＳＴＡ（ｓｔａｔｉｏｎ）が第１の部分と第２の部分を含む前記ＰＰＤＵを生成するステップ；及び、
前記ＳＴＡが前記ＰＰＤＵを送信するステップ；を含み、
前記第１の部分は、第１のＦＦＴ（ｆａｓｔ  ｆｏｕｒｉｅｒ  ｔｒａｎｓｆｏｒｍ）の大きさによるＩＦＦＴ（ｉｎｖｅｒｓｅ  ｆａｓｔ  ｆｏｕｒｉｅｒ  ｔｒａｎｓｆｏｒｍ）が実行されて生成され、
前記第２の部分は、第２のＦＦＴの大きさによる前記ＩＦＦＦが実行されて生成され、
前記第１のＦＦＴの大きさと第２のＦＦＴの大きさは異なることを特徴とする方法。
【請求項２】
前記第１の部分は、第１のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル上で送信され、
前記第２の部分は、第２のＯＦＤＭシンボル上で送信され、
前記第１のＯＦＤＭシンボルのデュレイションは、第１のガードインターバルデュレイション（ｇｕａｒｄ  ｉｎｔｅｒｖａｌ  ｄｕｒａｔｉｏｎ）と前記第１のＦＦＴの大きさによって決定される第１のＦＦＴ期間（ｆａｓｔ  ｆｏｕｒｉｅｒ  ｔｒａｎｓｆｏｒｍ  ｐｅｒｉｏｄ）との和であり、
前記第２のＯＦＤＭシンボルのデュレイションは、第２のガードインターバルデュレイションと前記第２のＦＦＴの大きさによって決定される第２のＦＦＴ期間との和であることを特徴とする請求項１に記載の方法。
【請求項３】
前記第２のガードインターバルデュレイションは、前記第１のガードインターバルデュレイションより長いであることを特徴とする請求項２に記載の方法。
【請求項４】
前記第２のＯＦＤＭシンボル上のサブキャリアの数は、前記第１のＯＦＤＭシンボル上のサブキャリアの数の２の倍数倍であることを特徴とする請求項２に記載の方法。
【請求項５】
前記第２のＦＦＴの大きさは、前記第１のＦＦＴの大きさの２の倍数倍であることを特徴とする請求項１に記載の方法。
【請求項６】
無線ＬＡＮにおけるＰＰＤＵ（ＰＬＣＰ（ｐｈｙｓｉｃａｌ  ｌａｙｅｒ  ｃｏｎｖｅｒｇｅｎｃｅ  ｐｒｏｃｅｄｕｒｅ）  ｐｒｏｔｏｃｏｌ  ｄａｔａ  ｕｎｉｔ）を送信するＳＴＡ（ｓｔａｔｉｏｎ）において、前記ＳＴＡは、
無線信号を送信するために具現されたＲＦ（ｒａｄｉｏ  ｆｒｅｑｕｅｎｃｙ）部；及び、
前記ＲＦ部と選択的に連結されるプロセッサ；を含み、
前記プロセッサは、第１の部分と第２の部分を含む前記ＰＰＤＵを生成して前記ＰＰＤＵを送信するように具現され、
前記第１の部分は、第１のＦＦＴ（ｆａｓｔ  ｆｏｕｒｉｅｒ  ｔｒａｎｓｆｏｒｍ）の大きさによるＩＦＦＴ（ｉｎｖｅｒｓｅ  ｆａｓｔ  ｆｏｕｒｉｅｒ  ｔｒａｎｓｆｏｒｍ）が実行されて生成され、
前記第２の部分は、第２のＦＦＴの大きさによる前記ＩＦＦＦが実行されて生成され、
前記第１のＦＦＴの大きさと第２のＦＦＴの大きさは異なることを特徴とするＳＴＡ。
【請求項７】
前記第１の部分は、第１のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル上で送信され、
前記第２の部分は、第２のＯＦＤＭシンボル上で送信され、
前記第１のＯＦＤＭシンボルのデュレイションは、第１のガードインターバルデュレイション（ｇｕａｒｄ  ｉｎｔｅｒｖａｌ  ｄｕｒａｔｉｏｎ）と前記第１のＦＦＴの大きさによって決定される第１のＦＦＴ期間（ｆａｓｔ  ｆｏｕｒｉｅｒ  ｔｒａｎｓｆｏｒｍ  ｐｅｒｉｏｄ）との和であり、
前記第２のＯＦＤＭシンボルのデュレイションは、第２のガードインターバルデュレイションと前記第２のＦＦＴの大きさによって決定される第２のＦＦＴ期間との和であることを特徴とする請求項６に記載のＳＴＡ。
【請求項８】
前記第２のガードインターバルデュレイションは、前記第１のガードインターバルデュレイションより長いであることを特徴とする請求項７に記載のＳＴＡ。
【請求項９】
前記第２のＯＦＤＭシンボル上のサブキャリアの数は、前記第１のＯＦＤＭシンボル上のサブキャリアの数の２の倍数倍であることを特徴とする請求項７に記載の方法。
【請求項１０】
前記第２のＦＦＴの大きさは、前記第１のＦＦＴの大きさの２の倍数倍であることを特徴とする請求項６に記載の方法。
【発明の詳細な説明】
【技術分野】
【０００１】
本発明は、無線通信に関し、より詳しくは、データユニットを送信する方法及び装置に関する。
【背景技術】
【０００２】
ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１のＷＮＧ  ＳＣ（Ｗｉｒｅｌｅｓｓ  Ｎｅｘｔ  Ｇｅｎｅｒａｔｉｏｎ  Ｓｔａｎｄｉｎｇ  Ｃｏｍｍｉｔｔｅｅ）は、次世代ＷＬＡＮ（ｗｉｒｅｌｅｓｓ  ｌｏｃａｌ  ａｒｅａ  ｎｅｔｗｏｒｋ）を中長期的に論議するアドホック委員会（ｃｏｍｍｉｔｔｅｅ）である。
【０００３】
２０１３年３月ＩＥＥＥ会議で、ブロードコムは、ＷＬＡＮ標準化ヒストリーに基づき、ＩＥＥＥ８０２．１１ａｃ標準が完成される２０１３年上半期がＩＥＥＥ８０２．１１ａｃ以後の次世代ＷＬＡＮに対する議論が必要であると提示した。技術的な必要性及び標準化の必要性に基づき、２０１３年３月ＩＥＥＥ会議で次世代ＷＬＡＮのためのスタディグループ創設に対するモーションが通過された。
【０００４】
一名ＨＥＷ（Ｈｉｇｈ  Ｅｆｆｉｃｉｅｎｃｙ  ＷＬＡＮ）と呼ばれる次世代ＷＬＡＮスタディグループで主に論議されるＨＥＷの範囲（ｓｃｏｐｅ）は、１）２．４ＧＨｚ及び５ＧＨｚなどの帯域で８０２．１１ＰＨＹ（ｐｈｙｓｉｃａｌ）階層とＭＡＣ（ｍｅｄｉｕｍ  ａｃｃｅｓｓ  ｃｏｎｔｒｏｌ）階層の向上、２）スペクトラム効率性（ｓｐｅｃｔｒｕｍ  ｅｆｆｉｃｉｅｎｃｙ）と領域スールプット（ａｒｅａ  ｔｈｒｏｕｇｈｐｕｔ）を高めること、３）干渉ソースが存在する環境、密集した異種ネットワーク（ｈｅｔｅｒｏｇｅｎｅｏｕｓ  ｎｅｔｗｏｒｋ）環境及び高いユーザ負荷が存在する環境のような実際室内環境及び室外環境で性能を向上させること、などがある。ＨＥＷで主に考慮されるシナリオは、ＡＰ（ａｃｃｅｓｓ  ｐｏｉｎｔ）とＳＴＡ（ｓｔａｔｉｏｎ）が多い密集環境であり、ＨＥＷは、このような状況でスペクトラム効率（ｓｐｅｃｔｒｕｍ  ｅｆｆｉｃｉｅｎｃｙ）と空間送信率（ａｒｅａ  ｔｈｒｏｕｇｈｐｕｔ）改善に対して議論する。特に、室内環境だけでなく、既存ＷＬＡＮであまり考慮されていなかった室外環境での実質的な性能改善に関心を有する。
【０００５】
ＨＥＷでは、無線オフィス（ｗｉｒｅｌｅｓｓ  ｏｆｆｉｃｅ）、スマートホーム（ｓｍａｒｔ  ｈｏｍｅ）、スタジアム（Ｓｔａｄｉｕｍ）、ホットスポット（Ｈｏｔｓｐｏｔ）、ビルディング／アパート（ｂｕｉｌｄｉｎｇ／ａｐａｒｔｍｅｎｔ）のようなシナリオに関心が大きく、該当シナリオに基づいてＡＰとＳＴＡが多い密集環境でのシステム性能向上に対する議論が進行されている。
【０００６】
今後、ＨＥＷでは、一つのＢＳＳ（ｂａｓｉｃ  ｓｅｒｖｉｃｅ  ｓｅｔ）での単一リンク性能向上よりは、ＯＢＳＳ（ｏｖｅｒｌａｐｐｉｎｇ  ｂａｓｉｃ  ｓｅｒｖｉｃｅ  ｓｅｔ）環境でのシステム性能向上及び室外環境性能改善、そして、セルラーオフローディングなどに対する議論が活発になることが予想されている。このようなＨＥＷの方向性は、次世代ＷＬＡＮがますます移動通信と類似の技術範囲を有するようになることを意味する。最近、スモールセル及びＤ２Ｄ（Ｄｉｒｅｃｔ−ｔｏ−Ｄｉｒｅｃｔ）通信領域で移動通信とＷＬＡＮ技術が共に論議されている状況を考慮する時、ＨＥＷに基づく次世代ＷＬＡＮと移動通信の技術的及び事業的な融合は、さらに活発になることが予測されている。
【発明の概要】
【発明が解決しようとする課題】
【０００７】
本発明のＰＰＤＵを送信する方法を提供することである。
【０００８】
本発明の他の目的は、ＰＰＤＵを送信する装置を提供することである。
【課題を解決するための手段】
【０００９】
前述した本発明の目的を達成するための本発明の一側面によるＰＰＤＵ（ＰＬＣＰ（ｐｈｙｓｉｃａｌ  ｌａｙｅｒ  ｃｏｎｖｅｒｇｅｎｃｅ  ｐｒｏｃｅｄｕｒｅ）  ｐｒｏｔｏｃｏｌ  ｄａｔａ  ｕｎｉｔ）を送信する方法は、ＳＴＡ（ｓｔａｔｉｏｎ）が第１の部分と第２の部分を含む前記ＰＰＤＵを生成するステップ及び前記ＳＴＡが前記ＰＰＤＵを送信するステップを含み、前記第１の部分は、第１のＦＦＴ（ｆａｓｔ  ｆｏｕｒｉｅｒ  ｔｒａｎｓｆｏｒｍ）の大きさによるＩＦＦＴ（ｉｎｖｅｒｓｅ  ｆａｓｔ  ｆｏｕｒｉｅｒ  ｔｒａｎｓｆｏｒｍ）が実行されて生成され、前記第２の部分は、第２のＦＦＴの大きさによる前記ＩＦＦＦが実行されて生成され、前記第１のＦＦＴの大きさと第２のＦＦＴの大きさは異なる。
【００１０】
前述した本発明の目的を達成するための本発明の他の側面による無線ＬＡＮにおけるＰＰＤＵを送信するＳＴＡは、無線信号を送信するために具現されたＲＦ（ｒａｄｉｏ  ｆｒｅｑｕｅｎｃｙ）部及び前記ＲＦ部と選択的に連結されるプロセッサを含み、前記プロセッサは、第１の部分と第２の部分を含む前記ＰＰＤＵを生成して前記ＰＰＤＵを送信するように具現され、前記第１の部分は、第１のＦＦＴ（ｆａｓｔ  ｆｏｕｒｉｅｒ  ｔｒａｎｓｆｏｒｍ）の大きさによるＩＦＦＴ（ｉｎｖｅｒｓｅ  ｆａｓｔ  ｆｏｕｒｉｅｒ  ｔｒａｎｓｆｏｒｍ）が実行されて生成され、前記第２の部分は、第２のＦＦＴの大きさによる前記ＩＦＦＦが実行されて生成され、前記第１のＦＦＴの大きさと第２のＦＦＴの大きさは異なる。
【発明の効果】
【００１１】
新しいフォーマットのＰＰＤＵを使用するにあたって、ＰＬＣＰプリアンブルのオーバーヘッドを最小化し、レガシ（ｌｅｇａｃｙ）ＳＴＡ（ｓｔａｔｉｏｎ）に対する後方互換性（ｂａｃｋｗａｒｄ  ｃｏｍｐａｔｉｂｉｌｉｔｙ）を提供することができる。また、新しいフォーマットのＰＰＤＵをサポートするＳＴＡは、受信したＰＰＤＵが新しいフォーマットのＰＰＤＵかどうかを速く判断することができる。
【図面の簡単な説明】
【００１２】
【図１】無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【図２】ＩＥＥＥ８０２．１１によりサポートされる無線ＬＡＮシステムのアーキテクチャを示す。
【図３】無線ＬＡＮで広帯域媒体接続制御技術を示す概念図である。
【図４】無線ＬＡＮのＰＰＤＵフォーマットを示す概念図である。
【図５】チャネルを介して送信されるＰＰＤＵを示す概念図である。
【図６】本発明の実施例に係るＨＥＷフォーマットＰＰＤＵを示す概念図である。
【図７】本発明の実施例に係るＨＥＷフォーマットＰＰＤＵを示す概念図である。
【図８】本発明の実施例に係るＨＥＷフォーマットＰＰＤＵを示す概念図である。
【図９】本発明の実施例に係るＨＥＷフォーマットＰＰＤＵを示す概念図である。
【図１０】本発明の実施例に係るＨＥＷフォーマットＰＰＤＵを送信するためのサブキャリアを示す概念図である。
【図１１】本発明の実施例に係るＨＥＷ  ＳＴＡがＨＥＷフォーマットＰＰＤＵでＦＦＴの大きさを探知する方法を示す概念図である。
【図１２】本発明の実施例に係るＨＥＷ  ＳＴＡがＨＥＷフォーマットＰＰＤＵでＦＦＴの大きさを探知する方法を示す概念図である。
【図１３】本発明の実施例に係るＨＥＷ  ＳＴＡがＨＥＷフォーマットＰＰＤＵでＦＦＴの大きさを探知する方法を示す概念図である。
【図１４】本発明の実施例に係るレガシＳＴＡのＨＥＷ  ＰＰＤＵ受信時、動作を示す概念図である。
【図１５】本発明の実施例が適用されることができる無線装置を示すブロック図である。
【発明を実施するための形態】
【００１３】
図１は、無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【００１４】
図１の上段は、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１のインフラストラクチャネットワーク（ｉｎｆｒａｓｔｒｕｃｔｕｒｅ  ｎｅｔｗｏｒｋ）の構造を示す。
【００１５】
図１の上段を参照すると、無線ＬＡＮシステムは、一つまたはそれ以上の基本サービスセット（Ｂａｓｉｃ  Ｓｅｒｖｉｃｅ  Ｓｅｔ、ＢＳＳ）１００、１０５を含むことができる。ＢＳＳ１００、１０５は、成功的に同期化を行われて互いに通信できるＡＰ（ａｃｃｅｓｓ  ｐｏｉｎｔ）１２５及びＳＴＡ１（Ｓｔａｔｉｏｎ）１００−１のようなＡＰとＳＴＡのセットであり、特定領域を示す概念ではない。ＢＳＳ１０５は、一つのＡＰ１３０に一つ以上の結合可能なＳＴＡ１０５−１、１０５−２を含むことができる。
【００１６】
インフラストラクチャＢＳＳは、少なくとも一つのＳＴＡ、分散サービス（Ｄｉｓｔｒｉｂｕｔｉｏｎ  Ｓｅｒｖｉｃｅ）を提供するＡＰ１２５、１３０及び複数のＡＰを連結させる分散システム（Ｄｉｓｔｒｉｂｕｔｉｏｎ  Ｓｙｓｔｅｍ、ＤＳ）１１０を含むことができる。
【００１７】
分散システム１１０は、複数のＢＳＳ１００、１０５を連結して拡張されたサービスセットであるＥＳＳ（ｅｘｔｅｎｄｅｄ  ｓｅｒｖｉｃｅ  ｓｅｔ）１４０を具現することができる。ＥＳＳ１４０は、一つまたは複数個のＡＰ１２５、１３０が分散システム１１０を介して連結されて構成された一つのネットワークを指示する用語として使われることができる。一つのＥＳＳ１４０に含まれるＡＰは、同じＳＳＩＤ（ｓｅｒｖｉｃｅ  ｓｅｔ  ｉｄｅｎｔｉｆｉｃａｔｉｏｎ）を有することができる。
【００１８】
ポータル（ｐｏｒｔａｌ）１２０は、無線ＬＡＮネットワーク（ＩＥＥＥ８０２．１１）と他のネットワーク（例えば、８０２．Ｘ）との連結を実行するブリッジ役割を遂行することができる。
【００１９】
図１の上段のようなインフラストラクチャネットワークでは、ＡＰ１２５、１３０間のネットワーク及びＡＰ１２５、１３０とＳＴＡ１００−１、１０５−１、１０５−２との間のネットワークが具現されることができる。しかし、ＡＰ１２５、１３０が無しでＳＴＡ間でもネットワークを設定して通信を実行することも可能である。ＡＰ１２５、１３０が無しでＳＴＡ間でもネットワークを設定して通信を実行するネットワークをアドホックネットワーク（Ａｄ−Ｈｏｃ  ｎｅｔｗｏｒｋ）または独立ＢＳＳ（ｉｎｄｅｐｅｎｄｅｎｔ  ｂａｓｉｃ  ｓｅｒｖｉｃｅｓｅｔ）と定義する。
【００２０】
図１の下段は、独立ＢＳＳを示す概念図である。
【００２１】
図１の下段を参照すると、独立ＢＳＳ（ｉｎｄｅｐｅｎｄｅｎｔ  ＢＳＳ、ＩＢＳＳ）は、アドホックモードに動作するＢＳＳである。ＩＢＳＳは、ＡＰを含まないため、中央で管理機能を遂行する個体（ｃｅｎｔｒａｌｉｚｅｄ  ｍａｎａｇｅｍｅｎｔ  ｅｎｔｉｔｙ）がない。即ち、ＩＢＳＳでは、ＳＴＡ１５０−１、１５０−２、１５０−３、１５５−４、１５５−５が分散された方式（ｄｉｓｔｒｉｂｕｔｅｄ  ｍａｎｎｅｒ）に管理される。ＩＢＳＳでは、全てのＳＴＡ１５０−１、１５０−２、１５０−３、１５５−４、１５５−５が移動ＳＴＡからなることができ、分散システムへの接続が許容されなくて自己完備的ネットワーク（ｓｅｌｆ−ｃｏｎｔａｉｎｅｄ  ｎｅｔｗｏｒｋ）を構築する。
【００２２】
ＳＴＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理階層（Ｐｈｙｓｉｃａｌ  Ｌａｙｅｒ）インターフェースを含む任意の機能媒体であり、広義では、ＡＰと非−ＡＰ  ＳＴＡ（Ｎｏｎ−ＡＰ  Ｓｔａｔｉｏｎ）を両方とも含む意味として使われることができる。
【００２３】
ＳＴＡは、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、モバイル加入者ユニット（Ｍｏｂｉｌｅ  Ｓｕｂｓｃｒｉｂｅｒ  Ｕｎｉｔ）または単純にユーザ（ｕｓｅｒ）などの多様な名称で呼ばれることもある。
【００２４】
図２は、ＩＥＥＥ８０２．１１によりサポートされる無線ＬＡＮシステムの階層アーキテクチャを示す。
【００２５】
図２では、無線ＬＡＮシステムの階層アーキテクチャ（ＰＨＹ  ａｒｃｈｉｔｅｃｔｕｒｅ）を概念的に示した。
【００２６】
無線ＬＡＮシステムの階層アーキテクチャは、ＭＡＣ（ｍｅｄｉｕｍ  ａｃｃｅｓｓ  ｃｏｎｔｒｏｌ）副階層（ｓｕｂｌａｙｅｒ）２２０、ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）副階層２１０、及びＰＭＤ（Ｐｈｙｓｉｃａｌ  Ｍｅｄｉｕｍ  Ｄｅｐｅｎｄｅｎｔ）副階層２００を含むことができる。ＰＬＣＰ副階層２１０は、ＭＡＣ副階層２２０がＰＭＤ副階層２００に最小限の従属性を有して動作できるように具現される。ＰＭＤ副階層２００は、複数のＳＴＡ間でデータを送受信するための送信インターフェース役割を遂行することができる。
【００２７】
ＭＡＣ副階層２２０、ＰＬＣＰ副階層２１０、及びＰＭＤ副階層２００は、概念的に管理部（ｍａｎａｇｅｍｅｎｔ  ｅｎｔｉｔｙ）を含むことができる。
【００２８】
ＭＡＣ副階層２２０の管理部は、ＭＬＭＥ（ＭＡＣ  Ｌａｙｅｒ  Ｍａｎａｇｅｍｅｎｔ  Ｅｎｔｉｔｙ）２２５であり、物理階層の管理部は、ＰＬＭＥ（ＰＨＹ  Ｌａｙｅｒ  Ｍａｎａｇｅｍｅｎｔ  Ｅｎｔｉｔｙ）２１５である。このような管理部は、階層管理動作が実行されるインターフェースを提供することができる。ＰＬＭＥ２１５は、ＭＬＭＥ２２５と連結されてＰＬＣＰ副階層２１０及びＰＭＤ副階層２００の管理動作（ｍａｎａｇｅｍｅｎｔ  ｏｐｅｒａｔｉｏｎ）を実行することができ、ＭＬＭＥ２２５もＰＬＭＥ２１５と連結されてＭＡＣ副階層２２０の管理動作（ｍａｎａｇｅｍｅｎｔ  ｏｐｅｒａｔｉｏｎ）を実行することができる。
【００２９】
正確なＭＡＣ階層動作が実行されるために、ＳＭＥ（ＳＴＡ  ｍａｎａｇｅｍｅｎｔ  ｅｎｔｉｔｙ）２５０が存在する。ＳＭＥ２５０は、階層に独立的な構成部として運用されることができる。ＭＬＭＥ、ＰＬＭＥ、及びＳＭＥは、プリミティブ（ｐｒｉｍｉｔｉｖｅ）に基づいて相互構成部間に情報を送信及び受信することができる。
【００３０】
各副階層での動作を簡略に説明すると、下記の通りである。ＰＬＣＰ副階層２１０は、ＭＡＣ副階層２２０とＰＭＤ副階層２００との間でＭＡＣ階層の指示によってＭＡＣ副階層２２０から受けたＭＰＤＵ（ＭＡＣ  Ｐｒｏｔｏｃｏｌ  Ｄａｔａ  Ｕｎｉｔ）をＰＭＤ副階層２００に伝達し、またはＰＭＤ副階層２００から来るフレームをＭＡＣ副階層２２０に伝達する。ＰＭＤ副階層２００は、ＰＬＣＰの下位階層であり、無線媒体を介した複数のＳＴＡ間でのデータ送信及び受信を実行することができる。ＭＡＣ副階層２２０が伝達したＭＰＤＵ（ＭＡＣ  ｐｒｏｔｏｃｏｌ  ｄａｔａ  ｕｎｉｔ）は、ＰＬＣＰ副階層２１０でＰＳＤＵ（Ｐｈｙｓｉｃａｌ  Ｓｅｒｖｉｃｅ  Ｄａｔａ  Ｕｎｉｔ）という。ＭＰＤＵは、ＰＳＤＵと類似するが、複数のＭＰＤＵをアグリゲーション（ａｇｇｒｅｇａｔｉｏｎ）したＡ−ＭＰＤＵ（ａｇｇｒｅｇａｔｅｄ  ＭＰＤＵ）が伝達された場合、各々のＭＰＤＵとＰＳＤＵは、互いに異なる。
【００３１】
ＰＬＣＰ副階層２１０は、ＰＳＤＵをＭＡＣ副階層２２０から受けてＰＭＤ副階層２００に伝達する過程で物理階層の送受信機により必要な情報を含む付加フィールドを付ける。このとき、付加されるフィールドは、ＰＳＤＵにＰＬＣＰプリアンブル（ｐｒｅａｍｂｌｅ）、ＰＬＣＰヘッダ（ｈｅａｄｅｒ）、コンボリューションエンコーダをゼロ状態（ｚｅｒｏ  ｓｔａｔｅ）に返すのに必要なテールビット（Ｔａｉｌ  Ｂｉｔｓ）などである。ＰＬＣＰプリアンブルは、ＰＳＤＵが送信される前に受信機に同期化機能とアンテナダイバーシティを準備するようにする役割をすることができる。データフィールドは、ＰＳＤＵにパディングビット、スクランブラを初期化するためのビットシーケンスを含むサービスフィールド及びテールビットが付けられたビットシーケンスがエンコーディングされたコード化シーケンス（ｃｏｄｅｄ  ｓｅｑｕｅｎｃｅ）を含むことができる。このとき、エンコーディング方式は、ＰＰＤＵを受信するＳＴＡでサポートされるエンコーディング方式によって、ＢＣＣ（Ｂｉｎａｒｙ  Ｃｏｎｖｏｌｕｔｉｏｎａｌ  Ｃｏｄｉｎｇ）エンコーディングまたはＬＤＰＣ（Ｌｏｗ  Ｄｅｎｓｉｔｙ  Ｐａｒｉｔｙ  Ｃｈｅｃｋ）エンコーディングのうち一つを選択することができる。ＰＬＣＰヘッダには送信するＰＰＤＵ（ＰＬＣＰ  Ｐｒｏｔｏｃｏｌ  Ｄａｔａ  Ｕｎｉｔ）に対する情報を含むフィールドが含まれることができる。
【００３２】
ＰＬＣＰ副階層２１０では、ＰＳＤＵに前述したフィールドを付加してＰＰＤＵ（ＰＬＣＰ  Ｐｒｏｔｏｃｏｌ  Ｄａｔａ  Ｕｎｉｔ）を生成してＰＭＤ副階層２００を経由して受信ステーションに送信し、受信ステーションは、ＰＰＤＵを受信してＰＬＣＰプリアンブル、ＰＬＣＰヘッダからデータ復元に必要な情報を得て復元する。
【００３３】
図３は、無線ＬＡＮで広帯域媒体接続制御技術を示す概念図である。
【００３４】
ＩＥＥＥ８０２．１１ｎ標準以前の無線ＬＡＮは、２０ＭＨｚのチャネル帯域幅（ｃｈａｎｎｅｌ  ｂａｎｄｗｉｄｔｈ）のみをサポートした。ＩＥＥＥ８０２．１１ｎ標準からは４０ＭＨｚのチャネル帯域幅をサポートし始めたし、ＩＥＥＥ８０２．１１ａｃでは追加的に８０ＭＨｚ、１６０ＭＨｚのチャネル帯域幅をサポートした。
【００３５】
図３は、ＩＥＥＥ８０２．１１ａｃでサポートされる８０ＭＨｚのチャネル帯域幅でチャネルアクセスを示す。
【００３６】
既存ＩＥＥＥ８０２．１１ｂ／ｇ／ｎとの共存のために、ＩＥＥＥ８０２．１１ａｃは、ＤＣＦ（ｄｉｓｔｒｉｂｕｔｅｄ  ｃｏｏｒｄｉｎａｔｉｏｎ  ｆｕｎｃｔｉｏｎ）、ＥＤＣＡ（ｅｎｈａｎｃｅｄ  ｄｉｓｔｒｉｂｕｔｅｄ  ｃｈａｎｎｅｌ  ａｃｃｅｓｓ）プロトコルベースのチャネルアクセスのための２０ＭＨｚチャネルを定義することができる。ＤＣＦ、ＥＤＣＡプロトコルベースのチャネルアクセスのための２０ＭＨｚチャネルをプライマリチャネル（ｐｒｉｍａｒｙ  ｃｈａｎｎｅｌ）ということができる。
【００３７】
ＳＴＡは、４０ＭＨｚのチャネル帯域幅または８０ＭＨｚのチャネル帯域幅を介してフレームを送信するために、プライマリチャネル３１０外の他のチャネルの状態をセンシングすることができる。ＳＴＡは、プライマリチャネル３１０外のチャネル（セカンダリチャネル（ｓｅｃｏｎｄａｒｙ  ｃｈａｎｎｅｌ）３２０、ターシャリチャネル（ｔｅｒｔｉａｒｙ  ｃｈａｎｎｅｌ）３３０、クォータナリチャネル（ｑｕａｔｅｒｎａｒｙ  ｃｈａｎｎｅｌ）３４０）の状態を一定時間の間（例えば、ＰＩＦＳ（ＰＣＦ  ｉｎｔｅｒ  ｆｒａｍｅ  ｓｐａｃｅ））センシングした後、データ３５０を送信するためのチャネル帯域幅を決定することができる。
【００３８】
センシング結果、４個の２０ＭＨｚのチャネル帯域幅３１０、３２０、３３０、３４０が全部可用な場合、ＳＴＡは、８０ＭＨｚのチャネル帯域幅を介してデータ３５０を送信することができ、各々の２０ＭＨｚチャネルを介してブロックＡＣＫ（ｂｌｏｃｋ  ａｃｋｎｏｗｌｅｄｇｅｍｅｎｔ、ＢＡ）を受信することができる。
【００３９】
ＩＥＥＥ８０２．１１ａｃでは、可用なチャネル帯域幅が２０ＭＨｚから１６０ＭＨｚまで多様化することによって、送信ＳＴＡと受信ＳＴＡとの間に適切なチャネル帯域幅を決定することが無線ＬＡＮの性能を決定するための重要な要因になった。ＩＥＥＥ８０２．１１ａｃではＲＴＳ（ｒｅｑｕｅｓｔ  ｔｏ  ｓｅｎｄ）フレーム／ＣＴＳ（ｃｌｅａｒ  ｔｏ  ｓｅｎｄ）フレームに基づく動的チャネル帯域幅設定プロトコルが実行されることができる。動的チャネル帯域幅設定プロトコルで、送信ＳＴＡは、ＲＴＳフレームを広帯域に送信し、受信ＳＴＡは、現在可用なチャネル帯域幅を介してＣＴＳフレームを送信することができる。具体的な例として、１６０ＭＨｚのチャネル帯域幅を使用しようとする送信ＳＴＡは、１６０ＭＨｚのチャネル帯域幅を介してＲＴＳフレームを受信ＳＴＡに送信することができる。現在可用なチャネル帯域幅が８０ＭＨｚである場合、受信ＳＴＡは、８０ＭＨｚのチャネル帯域幅を介してＣＴＳフレームを送信ＳＴＡに送信することができる。
【００４０】
送信ＳＴＡは、８０ＭＨｚのチャネル帯域幅を介してＣＴＳフレームを受信する場合、ＣＴＳフレームを受信した８０ＭＨｚのチャネル帯域幅より小さいチャネル帯域幅を介してデータを受信ＳＴＡに送信することができる。
【００４１】
図４は、無線ＬＡＮのＶＨＴフォーマットＰＰＤＵフォーマットを示す概念図である。
【００４２】
図４ではＩＥＥＥ８０２．１１ａｃで定義されたＶＨＴ（ｖｅｒｙ  ｈｉｇｈ  ｔｈｒｏｕｇｈｐｕｔ）フォーマットＰＰＤＵ（ＰＬＣＰ（ｐｈｙｓｉｃａｌ  ｌａｙｅｒ  ｃｏｎｖｅｒｇｅｎｃｅ  ｐｒｏｃｅｄｕｒｅ）  ｐｒｏｔｏｃｏｌ  ｄａｔａ  ｕｎｉｔ）に対して開示する。
【００４３】
レガシＳＴＡとの互換性のために、ＶＨＴフォーマットＰＰＤＵは、Ｌ−ＳＴＦ４００、Ｌ−ＬＴＦ４１０、Ｌ−ＳＩＧフィールド４２０を含むことができる。
【００４４】
Ｌ−ＳＴＦ４００は、Ｌ−ＳＴＦシーケンスを含むことができる。Ｌ−ＳＴＦシーケンスは、フレーム探知（ｆｒａｍｅ  ｄｅｔｅｃｔｉｏｎ）、ＡＧＣ（ａｕｔｏｍａｔｉｃ  ｇａｉｎ  ｃｏｎｔｒｏｌ）、ダイバーシティ探知（ｄｉｖｅｒｓｉｔｙ  ｄｅｔｅｃｔｉｏｎ）、粗末な周波数／時間同期化（ｃｏａｒｓｅ  ｆｒｅｑｕｅｎｃｙ／ｔｉｍｅ  ｓｙｎｃｈｒｏｎｉｚａｔｉｏｎ）のために使われることができる。
【００４５】
Ｌ−ＬＴＦ４１０は、Ｌ−ＬＴＦシーケンスを含むことができる。Ｌ−ＬＴＦシーケンスは、精密な周波数／時間同期化（ｆｉｎｅ  ｆｒｅｑｕｅｎｃｙ／ｔｉｍｅ  ｓｙｎｃｈｒｏｎｉｚａｔｉｏｎ）及びチャネル予測のために使われることができる。
【００４６】
Ｌ−ＳＩＧ４２０は、制御情報を含むことができる。具体的に、Ｌ−ＳＩＧ４２０は、データ送信率（ｒａｔｅ）、データ長さ（ｌｅｎｇｔｈ）に対する情報を含むことができる。
【００４７】
ＶＨＴ−ＳＩＧ−Ａ４３０は、ＶＨＴフォーマットＰＰＤＵを解釈するための情報を含むことができる。ＶＨＴ−ＳＩＧ−Ａ４３０は、ＶＨＴ−ＳＩＧ−Ａ１及びＶＨＴ−ＳＩＧ−Ａ２を含むことができる。ＶＨＴ−ＳＩＧ−Ａ１は、使用するチャネルの帯域幅情報、空間時間ブロックコーディングの適用可否、ＭＵ（ｍｕｌｔｉ−ｕｓｅｒ）−ＭＩＭＯ（ｍｕｌｔｉｐｌｅ  ｉｎｐｕｔ  ｍｕｌｔｉｐｌｅ  ｏｕｔｐｕｔ）のためにグルーピングされたＳＴＡを指示するグループＩＤ（ｉｄｅｎｔｉｆｉｅｒ）及びＭＵ−ＭＩＭＯを実行時に使われる時空間ストリーム（ｓｐａｃｅ−ｔｉｍｅ  ｓｔｒｅａｍ）の個数に対する情報などを含むことができる。ＶＨＴ−ＳＩＧ−Ａ１に含まれているチャネル帯域幅の情報は、ＶＨＴ−ＳＩＧ−Ａ１以後のフィールドが送信される帯域幅に対する情報を含むことができる。
【００４８】
ＶＨＴ−ＳＩＧ−Ａ２は、短いガードインターバル（ｇｕａｒｄ  ｉｎｔｅｒｖａｌ、ＧＩ）使用可否に対する情報、フォワードエラー訂正（ＦＥＣ；ｆｏｒｗａｒｄ  ｅｒｒｏｒ  ｃｏｒｒｅｃｔｉｏｎ）情報、単一ユーザに対するＭＣＳ（ｍｏｄｕｌａｔｉｏｎ  ａｎｄ  ｃｏｄｉｎｇ  ｓｃｈｅｍｅ）についての情報、複数ユーザに対するチャネルコーディングの種類についての情報、ビーム形成関連情報、ＣＲＣ（ｃｙｃｌｉｃ  ｒｅｄｕｎｄａｎｃｙ  ｃｈｅｃｋｉｎｇ）のための冗長ビット（ｒｅｄｕｎｄａｎｃｙ  ｂｉｔｓ）と畳み込みデコーダ（ｃｏｎｖｏｌｕｔｉｏｎａｌ  ｄｅｃｏｄｅｒ）のテールビット（ｔａｉｌ  ｂｉｔ）などを含むことができる。
【００４９】
ＶＨＴ−ＳＴＦ４４０は、ＭＩＭＯ環境で自動利得制御推定（ａｕｔｏｍａｔｉｃ  ｇａｉｎ  ｃｏｎｔｒｏｌ  ｅｓｔｉｍａｔｉｏｎ、ＡＧＣ）を向上させるために使われることができる。
【００５０】
ＶＨＴ−ＬＴＦ４５０は、ＭＩＭＯ環境でチャネル予測のために使われる。
【００５１】
ＶＨＴ−ＳＩＧ−Ｂ４６０は、各ＳＴＡに対する情報、即ち、ＰＳＤＵ（ＰＬＣＰ  ｓｅｒｖｉｃｅ  ｄａｔａ  ｕｎｉｔ）の長さとＭＣＳ（ｍｏｄｕｌａｔｉｏｎ  ａｎｄ  ｃｏｄｉｎｇ  ｓｃｈｅｍｅ）に対する情報、テールビットなどを含むことができる。
【００５２】
データ４７０は、ペイロード（ｐａｙｌｏａｄ）であって、サービスフィールド（ＳＥＲＶＩＣＥ  ｆｉｅｌｄ）、スクランブリングされたＰＳＤＵ（ｓｃｒａｍｂｌｅｄ  ＰＬＣＰ  ｓｅｒｖｉｃｅ  ｄａｔａ  ｕｎｉｔ）、テールビット（ｔａｉｌ  ｂｉｔｓ）、パディングビット（ｐａｄｄｉｎｇ  ｂｉｔｓ）を含むことができる。
【００５３】
図５は、チャネルを介して送信されるＰＰＤＵを示す概念図である。
【００５４】
図５は、ＭＵ（ｍｕｌｔｉ−ｕｓｅｒ）−ＭＩＭＯ（ｍｕｌｔｉｐｌｅ  ｉｎｐｕｔ  ｍｕｌｔｉｐｌｅ  ｏｕｔｐｕｔ）のためのＰＰＤＵフォーマットを開示する。
【００５５】
図５を参照すると、ＡＰと２個のＳＴＡ（第１のＳＴＡ及び第２のＳＴＡ）との間でＭＵ−ＭＩＭＯに基づく通信時にＡＰが送信する時空間ストリームを開示する。
【００５６】
４個の時空間ストリーム５１０、５２０、５３０、５４０のうち、２個の時空間ストリーム５１０、５２０は、第１のＳＴＡにデータを送信するために割り当てられ、残りの２個の時空間ストリーム５３０、５４０は、第２のＳＴＡにデータを送信するために割り当てられることができる。各々の時空間ストリームは、２０ＭＨｚのチャネル帯域幅を介して送信されることができる。各々の時空間ストリームは、第１の時空間ストリーム５１０乃至第４の時空間ストリーム５４０という用語で表現され、第１の時空間ストリーム５１０乃至第４の時空間ストリーム５４０が送信されるチャネルは、第１のチャネル乃至第４のチャネルという用語で表現されることができる。
【００５７】
図５を参照すると、第１の時空間ストリーム５１０乃至第４の時空間ストリーム５４０の各々を介して送信されるフィールドのうち、Ｌ−ＳＴＦ、Ｌ−ＬＴＦ、Ｌ−ＳＩＧ及びＶＨＴ−ＳＩＧ−Ａまではデュプリケート（ｄｕｐｌｉｃａｔｅ）されることができる。即ち、複数の２０ＭＨｚのチャネル帯域幅の各々を介して送信されるＬ−ＳＴＦ、Ｌ−ＬＴＦ、Ｌ−ＳＩＧ及びＶＨＴ−ＳＩＧ−Ａは、デュプリケートされたフィールドである。
【００５８】
２０ＭＨｚを介して送信される時空間ストリームの各々でＶＨＴ−ＳＩＧ−Ａ５５０以後のフィールドは、時空間ストリームによって異なる情報を含むことができる。ＭＩＭＯ、ＭＵ−ＭＩＭＯ、拡張されたチャネル帯域幅を介した送信のような向上した特徴（ｅｎｈａｎｃｅｄ  ｆｅａｔｕｒｅ）は、ＶＨＴ−ＳＩＧ−Ａ５５０以後のフィールドで適用されることができる。
【００５９】
ＶＨＴ−ＳＩＧ−Ａ５５０は、送信ＳＴＡがデータを送信する帯域幅に対する情報、各々の受信ＳＴＡに割り当てられた時空間ストリーム（ｓｐａｃｅ−ｔｉｍｅ  ｓｔｒｅａｍ）の個数に対する情報を含むことができる。受信ＳＴＡは、ＶＨＴ−ＳＩＧ−Ａ５５０を介して送信された帯域幅情報に基づいてＶＨＴ−ＳＩＧ−Ａ５５０以後に送信されるデータを受信するためのチャネル帯域幅を決定することができる。このような帯域幅情報がＶＨＴ−ＳＩＧ−Ａ５５０を介して送信されない場合、受信ＳＴＡは、送信に使われることができる帯域幅に対してブラインド探知を実行することで、データが送信される帯域幅を探索しなければならない。
【００６０】
また、ＭＵ−ＭＩＭＯの場合、受信ＳＴＡは、ＶＨＴ−ＳＩＧ−Ａ５５０に含まれている時空間ストリーム割当情報に基づいて受信するデータストリームを決定することができる。
【００６１】
具体的に、ＶＨＴ−ＳＩＧ−Ａ５５０は、帯域幅情報としてデータを送信する８０ＭＨｚを指示することができ、各々の受信ＳＴＡに割り当てられた時空間ストリーム（ｓｐａｃｅ−ｔｉｍｅ  ｓｔｒｅａｍ）の個数に対する情報として、第１のＳＴＡに２個の時空間ストリーム５１０、５２０が割り当てられることを指示し、第２のＳＴＡに２個の時空間ストリーム５３０、５４０が割り当てられることを指示することができる。
【００６２】
第１のＳＴＡと第２のＳＴＡは、ＶＨＴ−ＳＩＧ−Ａ５５０に含まれている情報に基づいて送信ＳＴＡからデータを受信することができる。
【００６３】
以下、本発明の実施例では高い処理量（ｈｉｇｈ  ｔｈｒｏｕｇｈｐｕｔ）及びＱｏＥ（ｑｕａｌｉｔｙ  ｏｆ  ｅｘｐｅｒｉｅｎｃｅ）性能向上に対する要求を満たすためのＩＥＥＥ８０２．１１ａｃ以後の次世代無線ＬＡＮのＰＰＤＵフォーマットに対して開示する。
【００６４】
以下、本発明では、説明の便宜上、次世代無線ＬＡＮをＨＥＷ（Ｈｉｇｈ  ｅｆｆｉｃｉｅｎｃｙ  ＷｉｒｅｌｅｓｓＬＡＮ）、ＨＥＷをサポートするフレームをＨＥＷフレーム、ＨＥＷをサポートするＰＰＤＵをＨＥＷフォーマットＰＰＤＵ、ＨＥＷをサポートするＳＴＡをＨＥＷ  ＳＴＡという用語で表現することができる。
【００６５】
また、ｎｏｎ−ＨＴフォーマットＰＰＤＵ、ＨＴフォーマットＰＰＤＵまたはＶＨＴフォーマットＰＰＤＵなどのＨＥＷフォーマットＰＰＤＵを除外した残りのＰＰＤＵをレガシフォーマットＰＰＤＵ、レガシフォーマットＰＰＤＵに送信及び受信されるフレームをレガシフレーム、レガシフォーマットＰＰＤＵのみをサポートするＳＴＡをレガシＳＴＡという用語で表現することができる。前記のように表現された用語は、任意的な用語に過ぎず、他の多様な用語で表現されることができる。
【００６６】
ＨＥＷにおいて、ＨＥＷフォーマットＰＰＤＵが使われる場合、ＨＥＷフォーマットＰＰＤＵは、既存無線ＬＡＮシステムをサポートするレガシＳＴＡのためのレガシフォーマットＰＰＤＵと共存する環境でデータを送信及び受信するために使われることができる。このような環境で、レガシＳＴＡは、ＨＥＷに対する後方互換性がない。したがって、レガシＳＴＡに影響がないようにＨＥＷフォーマットＰＰＤＵが定義されなければならない。即ち、ＨＥＷフォーマットＰＰＤＵは、ＰＬＣＰプリアンブルのオーバーヘッドを最小化し、レガシＳＴＡを同時にサポート可能にしなければならない。
【００６７】
ＨＥＷフォーマットＰＰＤＵは、便宜上、Ｌ−ＳＩＧまでのレガシ部分（ｌｅｇａｃｙ  ｐａｒｔ）とＬ−ＳＩＧ以後のＨＥＷ部分（ＨＥＷ  ｐａｒｔ）とに区分されることができる。例えば、ＨＥＷ部分は、ＨＥＷ−ＳＩＧ−Ａ、ＨＥＷ−ＳＴＦ、ＨＥＷ−ＬＴＦ、ＨＥＷ−ＳＩＧ−ＢのようなＨＥＷをサポートするためのフィールドのうち少なくとも一つを含むことができる。このようなＨＥＷをサポートするためのフィールドは、レガシ部分を除外したＨＥＷフォーマットＰＰＤＵを解釈するためのフィールドに対する例示である。具体的に、ＨＥＷ−ＳＩＧ−Ａ、ＨＥＷ−ＳＩＧ−Ｂ、ＨＥＷ−ＳＩＧ−Ａ／Ｂは、ＨＥＷ部分をデコーディングするための情報を含むシグナリングフィールドの例示であり、ＨＥＷ−ＳＴＦ、ＨＥＷ−ＬＴＦ（ｓ）は、ＨＥＷ部分でＡＧＣ及び／またはチャネル予測、チャネル／周波数トラッキングのために使われるトレーニングフィールドに対する例示である。
【００６８】
図６は、本発明の実施例に係るＨＥＷフォーマットＰＰＤＵを示す概念図である。
【００６９】
図６を参照すると、ＨＥＷフォーマットＰＰＤＵで、ＨＥＷ部分は、順次にＨＥＷ−ＳＩＧ−Ａ６１０、ＨＥＷ−ＳＴＦ６２０、ＨＥＷ−ＬＴＦ（ｓ）６３０、ＨＥＷ−ＳＩＧ−Ｂ６４０を含むことができる。説明の便宜上、データフィールドもＨＥＷ部分と仮定して説明する。
【００７０】
ＨＥＷ−ＳＩＧ−Ａ６１０は、ＨＥＷ部分の１番目のシグナリングフィールドである。ＨＥＷ−ＳＩＧ−Ａ６１０は、チャネル帯域幅情報を含むことができる。チャネル帯域幅情報は、ＨＥＷ−ＳＩＧ−Ａ６１０以後、ＨＥＷ部分に含まれるフィールド（例えば、ＨＥＷ−ＳＴＦ６２０、ＨＥＷ−ＬＴＦ（ｓ）  ６３０、ＨＥＷ−ＳＩＧ−Ｂ６４０及びデータフィールド６５０）の送信のために使われるチャネル帯域幅の大きさを指示することができる。ＨＥＷフォーマットＰＰＤＵを受信する受信ＳＴＡは、チャネル帯域幅情報により指示されたチャネル帯域幅を介してＨＥＷ−ＳＩＧ−Ａ６１０以後に送信されるフィールドに含まれているデータを受信することができる。もし、受信ＳＴＡがチャネル帯域幅情報を知らない場合、受信ＳＴＡは、ブラインド探知（ｂｌｉｎｄ  ｄｅｔｅｃｔｉｏｎ）に基づいてＨＥＷ−ＳＩＧ−Ａ６１０以後のＨＥＷ部分に対するチャネル帯域幅の大きさを探知しなければならない。また、ＨＥＷ−ＳＩＧ−Ａ６１０は、ＨＥＷフォーマットＰＰＤＵをデコーディングするための追加的な情報を含むことができる。
【００７１】
ＨＥＷ−ＳＴＦ６２０は、ＨＥＷフォーマットＰＰＤＵでＨＥＷ−ＳＴＦ６２０以後に送信されるデータに対するＡＧＣ（ａｕｔｏｍａｔｉｃ  ｇａｉｎ  ｃｏｎｔｒｏｌ）のために使われることができる。
【００７２】
ＨＥＷ−ＬＴＦ（ｓ）６３０は、ＨＥＷ−ＳＩＧ−Ｂ６４０及び／またはデータフィールド６５０のデコーディングのためのチャネル予測のために使われることができる。ＨＥＷ−ＬＴＦ（ｓ）６３０の個数は、時空間ストリームの個数により決定されることができる。
【００７３】
ＨＥＷ−ＳＩＧ−Ｂ６４０は、ＤＬ（ｄｏｗｎｌｉｎｋ）／ＵＬ（ｕｐｌｉｎｋ）ＭＵ−ＭＩＭＯのサポート時、必要な情報を提供し、またはＨＥＷをサポートするための追加的な情報を伝達するために使われることができる。
【００７４】
本発明で開示されるＨＥＷ−ＳＩＧ−Ａ、ＨＥＷ−ＳＩＧ−ＢまたはＨＥＷ−ＳＩＧ−Ａ／Ｂには、ＨＥＷをサポートするための以下のような情報が含まれることができる。ＨＥＷ−ＳＩＧ−Ａ、ＨＥＷ−ＳＩＧ−ＢまたはＨＥＷ−ＳＩＧ−Ａ／ＢをＨＥＷシグナリングフィールドという用語で表現することができる。
【００７５】
ＨＥＷは、多重アクセス方式にＯＦＤＭＡをサポートすることができ、ＨＥＷシグナリングフィールドは、多重アクセスをサポートするための情報を含むことができる。例えば、ＨＥＷシグナリングフィールドは、複数のＳＴＡの各々に割り当てられる周波数帯域（または、チャネル）に対する情報を含むことができる。複数のＳＴＡの各々に割り当てられる周波数帯域を指示するためにＳＴＡのＧＩＤ（ｇｒｏｕｐ  ｉｄｅｎｔｉｆｉｅｒ）のような識別子情報が使われることができ、ＨＥＷシグナリングフィールドは、このようなＳＴＡのＧＩＤに基づいてＳＴＡの使用周波数帯域に対する情報を指示することができる。
【００７６】
また、ＨＥＷは、ＵＬ−ＭＩＭＯをサポートすることができ、ＨＥＷシグナリングフィールドは、ＵＬ−ＭＩＭＯを許容するかどうかに対する情報、ＵＬ−ＭＩＭＯ時に使われる時空間ストリームの個数に対する情報、ＵＬ−ＭＩＭＯに使われるチャネルに対する情報を含むこともできる。
【００７７】
または、ＨＥＷでは、ＡＰと複数のＳＴＡが同時に通信を実行することができ、ＡＰは、同時にデータを送信及び受信するＳＴＡに対する情報を送信することができる。ＨＥＷシグナリングフィールドは、同じＴＸＯＰ（ｔｒａｎｓｍｉｓｓｉｏｎ  ｏｐｐｏｒｔｕｎｉｔｙ）を取得するＳＴＡの個数または同じＴＸＯＰを取得するＳＴＡのリストに対する情報を含むことができる。また、ＨＥＷシグナリングフィールドは、ＴＸＯＰのデュレイション（ｄｕｒａｔｉｏｎ）に対する情報も送信することもできる。
【００７８】
図７は、本発明の実施例に係るＨＥＷフォーマットＰＰＤＵを示す概念図である。
【００７９】
図７を参照すると、ＨＥＷフォーマットＰＰＤＵのＨＥＷ部分は、順次にＨＥＷ−ＳＴＦ７１０、ＨＥＷ−ＬＴＦ（ｓ）７２０、ＨＥＷ−ＳＩＧ−Ａ／Ｂ７３０を含むことができる。
【００８０】
ＨＥＷフォーマットＰＰＤＵで、ＨＥＷ−ＳＴＦ７１０がシグナリングフィールド（例えば、ＨＥＷ−ＳＩＧ−Ａ／Ｂ７３０）より先行されて位置できる。前述したように、シグナリングフィールドを介して送信されたＨＥＷ部分に対するチャネル帯域幅情報がない場合、受信ＳＴＡは、ブラインド探知に基づいてＨＥＷ部分に対するチャネル帯域幅の大きさを探知しなければならない。したがって、ブラインド探知を避けるために、本発明の実施例に係るＨＥＷフォーマットＰＰＤＵでは、ＨＥＷ−ＳＴＦ７１０を構成するシーケンス（ＨＥＷ−ＳＴＦシーケンス）がＨＥＷ部分に対するチャネル帯域幅情報を含むことができる。ＨＥＷ−ＳＴＦシーケンスは、ＨＥＷ−ＳＴＦ７１０を送信するＯＦＤＭシンボル（ＨＥＷ−ＳＴＦ  ＯＦＤＭシンボル）上の複数のサブキャリアに割り当てられることができる。
【００８１】
互いに異なるＨＥＷ−ＳＴＦシーケンスは、ＨＥＷ部分に対する互いに異なるチャネル帯域幅の大きさを指示することができる。即ち、特定ＨＥＷ−ＳＴＦシーケンスは、ＨＥＷ部分に割り当てられた特定なチャネル帯域幅の大きさを指示することができる。
【００８２】
本発明の他の実施例によると、レガシ部分で指示されたチャネル帯域幅によりＨＥＷ部分に対するチャネル帯域幅が決定される場合、ＨＥＷ−ＳＴＦシーケンスは、チャネル帯域幅情報を含まないこともある。
【００８３】
本発明の他の実施例によると、ＨＥＷ−ＳＴＦシーケンスは、チャネル帯域幅情報だけでなく、ＨＥＷ部分を送信するために使われるＯＦＤＭシンボルのガードインターバル（ｇｕａｒｄ  ｉｎｔｅｒｖａｌ）またはＣＰ（ｃｙｃｌｉｃ  ｐｒｅｆｉｘ）に対する情報を含むことができる。以下、本発明の実施例では、ガードインターバルとＣＰが同じ意味で解釈されることができ、説明の便宜上、ガードインターバル（ＧＩ）という用語を使用して説明する。
【００８４】
ＨＥＷでは、無線通信環境によって、多様な長さのＧＩ（ｇｕａｒｄ  ｉｎｔｅｒｖａｌ）（ｌｏｎｇ  ＧＩ、ｄｏｕｂｌｅ  ＧＩ、ｔｒｉｐｌｅ  ＧＩ）を使用することができる。ＨＥＷ−ＳＴＦシーケンスは、ＨＥＷ部分を送信するために使われるＯＦＤＭシンボルのガードインターバル情報を含むことができる。
【００８５】
ＨＥＷでは、通信環境によって、ＨＥＷフォーマットＰＰＤＵに対するガードインターバルの長さが変わることができ、ＨＥＷ−ＳＴＦシーケンスは、使われたガードインターバルの長さに対する情報を含むことができる。ＨＥＷでは、ガードインターバルの長さによって最適化されたＨＥＷフォーマットＰＰＤＵが使われることができる。即ち、ＨＥＷフォーマットＰＰＤＵは、ガードインターバルの長さによって設定可能（ｃｏｎｆｉｇｕａｒｂｌｅ）する。
【００８６】
ＨＥＷ−ＳＴＦシーケンスは、チャネル帯域幅情報とガードインターバル情報を独立的に送信することもできるが、ＨＥＷ−ＳＴＦシーケンスは、チャネル帯域幅情報とガードインターバル情報の組合せに対する情報を送信することもできる。例えば、第１のＨＥＷ−ＳＴＦシーケンスは、第１のチャネル帯域幅大きさ及び第１のガードインターバルの長さを指示し、第２のＨＥＷ−ＳＴＦシーケンスは、第１のチャネル帯域幅大きさ及び第２のガードインターバルの長さを指示することができる。
【００８７】
または、受信ＳＴＡは、ＨＥＷ−ＳＴＦシーケンスの信号波形に基づいてＦＦＴ（ｆａｓｔ  ｆｏｕｒｉｅｒ  ｔｒａｎｓｆｏｒｍ）の大きさ情報を概略的に判断することでチャネル帯域幅情報を推定することもできる。推定されたチャネル帯域幅情報は、ＨＥＷ−ＳＴＦ７１０以後に送信されたＨＥＷ−ＳＩＧ−Ａ／Ｂ７３０に含まれているチャネル帯域幅情報に基づいて確認されることができる。
【００８８】
ＨＥＷ−ＬＴＦ（ｓ）７２０は、ＨＥＷ−ＳＩＧ−Ａ／Ｂ７３０及び／またはデータフィールド７４０のデコーディングのためのチャネル予測のために使われることができる。ＨＥＷフォーマットＰＰＤＵに含まれるＨＥＷ−ＬＴＦ（ｓ）７２０の個数は、時空間ストリームの個数により決定されることができる。
【００８９】
図８は、本発明の実施例に係るＨＥＷフォーマットＰＰＤＵを示す概念図である。
【００９０】
図８を参照すると、ＨＥＷフォーマットＰＰＤＵのＨＥＷ部分は、順次にＨＥＷ−ＳＴＦ８１０、ＨＥＷ−ＳＩＧ−Ａ／Ｂ８２０を含むことができる。
【００９１】
ＨＥＷフォーマットＰＰＤＵは、ＨＥＷ−ＬＴＦを含まないこともある。ＨＥＷ−ＬＴＦの代わりにチャネル予測を実行するために、ＨＥＷ−ＳＩＧ−Ａ／Ｂ８２０及びデータフィールド８３０の各々は、チャネル予測のための信号（例えば、パイロット信号（ｐｉｌｏｔ  ｓｉｇｎａｌ））を含むことができる。チャネル予測のための信号は、チャネル予測のための用途だけでなく、チャネルトラッキング及び／または周波数トラッキングのための用途にも使われることもできる。
【００９２】
本発明の他の実施例によると、チャネル環境の変化が大きくなくてコヒーレンス時間（ｃｏｈｅｒｅｎｃｅ  ｔｉｍｅ）内に十分にＨＥＷフォーマットＰＰＤＵが送信されることができる場合、レガシ部分に含まれているＬ−ＬＴＦ８４０をＨＥＷ部分のデコーディングのために使用することができる。具体的に、Ｌ−ＬＴＦ８４０に基づいて予測されたチャネル予測結果を、ＨＥＷ部分をデコーディングするために使用することができる。
【００９３】
図９は、本発明の実施例に係るＨＥＷフォーマットＰＰＤＵを示す概念図である。
【００９４】
図９を参照すると、ＨＥＷフォーマットＰＰＤＵのＨＥＷ部分は、ＨＥＷ−ＳＩＧ−Ａ／Ｂ９１０のみを含むことができる。
【００９５】
ＨＥＷフォーマットＰＰＤＵは、ＨＥＷ−ＳＴＦを含まないこともある。したがって、レガシ部分のＬ−ＳＴＦ９３０がＨＥＷ部分に対するＡＧＣのために使われることができる。具体的に、レガシ部分とＨＥＷ部分の各々でＡＤＣ（ａｎａｌｏｇ  ｄｉｇｉｔａｌ  ｃｏｎｖｅｒｔｅｒ）端の量子化レベル（ｑｕａｎｔｉｚａｔｉｏｎ  ｌｅｖｅｌ）の範囲（ｒａｎｇｅ）が著しく異ならない場合、ＨＥＷ部分は、ＨＥＷ−ＳＴＦを含まずにＬ−ＳＴＦ９３０がＨＥＷ部分に対するＡＧＣのために使われることができる。
【００９６】
図８で前述したように、ＨＥＷフォーマットは、ＨＥＷ−ＬＴＦを含まないこともある。前述したように、ＨＥＷ−ＬＴＦの代わりにチャネル予測を実行するためにＨＥＷ−ＳＩＧ−Ａ／Ｂ９１０及びデータフィールド９２０の各々は、チャネル予測のための信号（例えば、パイロット信号（ｐｉｌｏｔ  ｓｉｇｎａｌ））を含むことができる。または、レガシ部分に含まれているＬ−ＬＴＦ９４０をＨＥＷ部分のデコーディングのために使用することもできる。
【００９７】
本発明の実施例によると、ＨＥＷフォーマットＰＰＤＵを送信する送信ＳＴＡは、周期的にＨＥＷ−ＳＴＦ及び／またはＨＥＷ−ＬＴＦを含むＨＥＷフォーマットＰＰＤＵを送信することができる。
【００９８】
ＨＥＷフォーマットＰＰＤＵを介して周期的に送信されるＨＥＷ−ＳＴＦ及びＨＥＷ−ＬＴＦは、同期化（ｓｙｎｃｈｒｏｎｉｚａｔｉｏｎ）の機能を重点的に考慮することで最小化された構造に設計されることができる。ＨＥＷ−ＳＴＦ及びＨＥＷ−ＬＴＦの送信周期に対する情報は、システム情報（ｓｙｓｔｅｍ  ｉｎｆｏｒｍａｔｉｏｎ）として、初期チャネルアクセスに使われるフレーム（例えば、ビーコンフレーム（ｂｅａｃｏｎ  ｆｒａｍｅ）、プローブ応答フレーム（ｐｒｏｂｅ  ｒｅｓｐｏｎｓｅ  ｆｒａｍｅ）及び結合応答フレーム（ａｓｓｏｃｉａｔｉｏｎ  ｒｅｓｐｏｎｓｅ  ｆｒａｍｅ）のうち少なくとも一つのフレーム）に含まれて送信されることができる。
【００９９】
図１０は、本発明の実施例に係るＨＥＷフォーマットＰＰＤＵを送信するためのサブキャリアを示す概念図である。
【０１００】
図１０を参照すると、ＨＥＷフォーマットＰＰＤＵで、レガシ部分１０００とＨＥＷ部分１０５０は、互いに異なるＦＦＴの大きさに基づいて生成されることができる。図１０では、図６で前述したＨＥＷフォーマットＰＰＤＵを仮定してレガシ部分１０００とＨＥＷ部分１０５０のＦＦＴの大きさ変化に対して説明する。ＨＥＷ部分１０５０がデータフィールドを含むと仮定する。
【０１０１】
無線ＬＡＮの通信環境が室外（ｏｕｔｄｏｏｒ）環境である場合、デレイスプレッド（ｄｅｌａｙ  ｓｐｒｅａｄ）の大きさが増加できる。デレイスプレッドの大きさ増加による影響を減少させるために、レガシ部分１０００とは異なる大きさのＦＦＴがＨＥＷ部分に適用されることができる。
【０１０２】
具体的な例として、レガシ部分１０００には２０ＭＨｚ大きさのチャネル帯域幅で６４−ＦＦＴが適用されることができる。６４−ＦＦＴに基づく５２個のサブキャリアがデータを送信するために使われることができ、５２個のサブキャリアのうち、４８個はトラフィックデータ、４個のサブキャリアはパイロット信号を送信するために使われることができる。サブキャリア間の間隔は３１２．５ｋＨｚである。また、ＯＦＤＭシンボルの大きさ（または、幅）は４ｕｓｅｃであり、ＴＧＩ（ガードインターバルの長さ）は０．８ｕｓｅｃである。有効ＯＦＤＭシンボルの大きさは、ＯＦＤＭシンボルの大きさ（４ｕｓｅｃ）からＴＧＩの大きさ（０．８ｕｓｅｃ）を引いた３．２ｕｓｅｃである。
【０１０３】
本発明の実施例によると、２０ＭＨｚ大きさのチャネル帯域幅で１２８−ＦＦＴがＨＥＷ部分１０５０に適用されることができる。
【０１０４】
１２８−ＦＦＴが使われる場合、１２８−ＦＦＴに基づく１０４個のサブキャリアがデータを送信するために使われることができる。１０４個のサブキャリアを使用する場合、サブキャリア間の間隔は３１２．５／２（＝１５６．２５）ｋＨｚである。サブキャリア間の間隔は、ＯＦＤＭシンボルの大きさからガードインターバルの大きさを引いた有効ＯＦＤＭシンボル幅の逆数である。したがって、１０４個のサブキャリアが使われる場合、有効ＯＦＤＭシンボルの大きさは、３．２ｕｓｅｃの２倍である６．４ｕｓｅｃに増加することができ、ＴＧＩも０．８ｕｓｅの２倍である１．６ｕｓｅｃに増加することができる。即ち、ＯＦＤＭシンボルの長さが４ｕｓｅｃから８ｕｓｅｃに増加することができる。本発明の実施例によると、通信環境によって、ＴＧＩの長さを調節することもできる。もし、ＴＧＩの長さが０．８ｕｓｅｃを使用する場合、有効ＯＦＤＭシンボル長さが７．２ｕｓｅｃに増加され、単位時間当たり（または、単位シンボル当たり）データ処理量が増加することができる。増加されたＦＦＴの大きさを使用することによって、ガードインターバルの長さが増加し、それによって、ＨＥＷフォーマットＰＰＤＵの送信カバレッジが増加されることができる。
【０１０５】
互いに異なる大きさのＦＦＴの適用は、ＳＴＡのＰＰＤＵ生成観点で、下記のように説明されることができる。
【０１０６】
ＳＴＡは、第１の部分（レガシ部分、またはＬ−ＳＩＧ）と第２の部分（ＨＥＷ部分、ＨＥＷ−ＳＩＧ−Ａ、またはＨＥＷ−ＳＩＧ−Ａ／Ｂ）を含むＰＰＤＵを生成して送信することができる。第１の部分は、第１のＦＦＴの大きさによるＩＦＦＴ（ｉｎｖｅｒｓｅ  ｆａｓｔ  ｆｏｕｒｉｅｒ  ｔｒａｎｓｆｏｒｍ）が実行されて生成され、第２の部分は、第２のＦＦＴの大きさによる前記ＩＦＦＦが実行されて生成されることができる。このとき、第１のＦＦＴの大きさと第２のＦＦＴの大きさは互いに異なり、第２のＦＦＴの大きさは第１のＦＦＴの大きさの２の倍数倍である。
【０１０７】
第１の部分は、第１のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル上で送信され、第２の部分は、第２のＯＦＤＭシンボル上で送信される場合を仮定することができる。このような場合、第１のＯＦＤＭシンボルのデュレイションは、第１のガードインターバルデュレイション（ｇｕａｒｄ  ｉｎｔｅｒｖａｌ  ｄｕｒａｔｉｏｎ）と前記第１のＦＦＴの大きさによって決定される第１のＦＦＴ期間（ｆａｓｔ  ｆｏｕｒｉｅｒ  ｔｒａｎｓｆｏｒｍ  ｐｅｒｉｏｄ）との和であり、第２のＯＦＤＭシンボルのデュレイションは、第２のガードインターバルデュレイションと第２のＦＦＴの大きさによって決定される第２のＦＦＴ期間との和である。このとき、第２のガードインターバルデュレイションは、前記第１のガードインターバルデュレイションより長い。
【０１０８】
１２８−ＦＦＴは、増加されたＦＦＴの大きさに対する例示に過ぎず、２５６−ＦＦＴ、５１２−ＦＦＴも使われることができ、このような実施例も本発明の権利範囲に含まれる。増加されたＦＦＴの大きさを使用することによってＨＥＷフォーマットＰＰＤＵの送信カバレッジが増加されることができる。
【０１０９】
前記のようにレガシ部分１０００とＨＥＷ部分１０５０に対するＦＦＴの大きさが変化する場合、レガシ部分１０００とＨＥＷ部分１０５０に異なって適用されるＯＦＤＭ数秘術（ｎｕｍｅｒｏｌｏｇｙ）のためＳＴＡのＰＰＤＵデコーディングに問題が発生することもできる。
【０１１０】
ＨＥＷ  ＳＴＡは、レガシ部分１０００とＨＥＷ部分１０５０を両方ともデコーディング可能にしなければならない。したがって、ＨＥＷ  ＳＴＡは、ＨＥＷフォーマットＰＰＤＵで互いに異なる大きさのＦＦＴを適用した部分を探知可能にしなければならない。ＨＥＷフォーマットＰＰＤＵで互いに異なる大きさのＦＦＴを適用した部分を探知することを他の用語としてＯＦＤＭ数秘術チェックともいう。
【０１１１】
ＨＥＷ  ＳＴＡは、受信したＰＰＤＵで互いに異なる大きさのＦＦＴ（例えば、２の倍数倍（例えば、４倍））を適用した部分が存在する場合、受信したＰＰＤＵをＨＥＷフォーマットＰＰＤＵと判断することができる。それに対し、レガシＳＴＡは、受信したＰＰＤＵのレガシ部分（Ｌ−ＳＴＦ、Ｌ−ＬＴＦ、Ｌ−ＳＩＧ）１０００以後の互いに異なる大きさのＦＦＴを適用した部分が存在する場合、ＨＥＷフォーマットＰＰＤＵと判断することで追加的なデコーディングを実行しない。
【０１１２】
以下、本発明の実施例ではＨＥＷ  ＳＴＡがＨＥＷフォーマットＰＰＤＵで互いに異なる大きさのＦＦＴが適用された部分を探知する方法に対して開示する。
【０１１３】
図１１は、本発明の実施例に係るＨＥＷ  ＳＴＡがＨＥＷフォーマットＰＰＤＵでＦＦＴの大きさを探知する方法を示す概念図である。
【０１１４】
図１１を参照すると、ＨＥＷ  ＳＴＡは、受信したＰＰＤＵのレガシ部分（Ｌ−ＳＴＦ、Ｌ−ＬＴＦ、Ｌ−ＳＩＧ）１１００以後のフィールド（ＨＥＷフォーマットＰＰＤＵである場合、ＨＥＷ部分で時間上に１番目に位置したフィールド）に割り当てられたＯＦＤＭシンボルのガードインターバル区間１１５０で適用されたＦＦＴの大きさを判断することができる。即ち、ＨＥＷ  ＳＴＡは、レガシ部分１１００以後のフィールドに割り当てられたＯＦＤＭシンボルのガードインターバル区間１１５０で与えられたチャネル帯域幅で使われるＦＦＴの大きさを判断することができる。判断結果、ＦＦＴの大きさが変化する場合、ＨＥＷ  ＳＴＡは、受信したＰＰＤＵをＨＥＷフォーマットＰＰＤＵと判断することができる。
【０１１５】
ＨＥＷ部分に対応されるＯＦＤＭシンボル上のサブキャリアの数は、レガシ部分に対応されるＯＦＤＭシンボル上のサブキャリアの数の２の倍数倍（例えば、２倍、４倍等）である。
【０１１６】
本発明の実施例によると、ＳＴＡによるＦＦＴの大きさ変化の判断のために、ＨＥＷフォーマットＰＰＤＵでＨＥＷ部分に割り当てられた一部ＯＦＤＭシンボルは、十分な長さのＧＩを含むことができる。例えば、ＨＥＷ部分に割り当てられた一部ＯＦＤＭシンボルに対するＧＩは、長いＧＩ（ｌｏｎｇ  ＧＩ）、ダブルＧＩ（ｄｏｕｂｌｅ  ＧＩ）またはトリプルＧＩ（ｔｒｉｐｌｅ  ＧＩ）である。例えば、ダブルＧＩは短いＧＩ長さの２倍、トリプルＧＩ（ｔｒｉｐｌｅ  ＧＩ）は短いＧＩ長さの３倍に定義された長さである。
【０１１７】
図１２は、本発明の実施例に係るＨＥＷ  ＳＴＡがＨＥＷフォーマットＰＰＤＵでＦＦＴの大きさを探知する方法を示す概念図である。
【０１１８】
図１２ではＨＥＷフォーマットＰＰＤＵでＨＥＷ部分のＧＩの設定に対して開示する。
【０１１９】
図１２を参照すると、ＨＥＷフォーマットＰＰＤＵの具体的な例として、図６で前述したように、ＨＥＷフォーマットＰＰＤＵのＨＥＷ部分がＨＥＷ−ＳＩＧ−Ａ、ＨＥＷ−ＳＴＦ、ＨＥＷ−ＬＴＦ、ＨＥＷ−ＳＩＧ−Ｂ、データフィールドを含む場合を仮定する。また、ＨＥＷ−ＳＩＧ−Ａに２個のＯＦＤＭシンボルが割り当てられた場合を仮定する。
【０１２０】
このような場合、ＨＥＷ部分の１番目のフィールドであるＨＥＷ−ＳＩＧ−Ａに対するＯＦＤＭシンボルは、長いＧＩ、ダブルＧＩまたはトリプルＧＩを含むことができる。
【０１２１】
図１２の上段のように、複数のＯＦＤＭシンボルがＨＥＷ−ＳＩＧ−Ａ１２００に割り当てられた場合、長いＧＩ１２５０がＨＥＷ−ＳＩＧ−Ａ１２００に対応されるＯＦＤＭシンボル毎に含まれることもできる。
【０１２２】
または、図１２の下段のように、ＨＥＷ  ＳＴＡのＦＦＴの大きさ変化に対する判断をもう少し容易にするために、ＨＥＷ−ＳＩＧ−Ａ１２７０に割り当てられるＯＦＤＭシンボルのうち、１番目のＯＦＤＭシンボル１２８０は、ダブルＧＩ１２９０またはトリプルＧＩを含み、残りのＯＦＤＭシンボル１２８５に対するＧＩは、相対的に短い長さのＧＩを含み、または残りのＯＦＤＭシンボル１２８５は、ＧＩを含まないこともある。
【０１２３】
図１３は、本発明の実施例に係るＨＥＷ  ＳＴＡがＨＥＷフォーマットＰＰＤＵでＦＦＴの大きさを探知する方法を示す概念図である。
【０１２４】
図１３ではＨＥＷ部分の１番目のフィールドとしてＨＥＷ−ＳＴＦ（または、ＨＥＷ−ＬＴＦ）のようなトレーニングフィールドを位置させる場合、ＨＥＷ  ＳＴＡのＦＦＴの大きさ探知方法に対して開示する。
【０１２５】
例えば、ＨＥＷ  ＳＴＡは、レガシ部分１３００以後に送信されるＯＦＤＭシンボル（以下、探索ＯＦＤＭシンボル１３５０）に対するシーケンスコリレイション（ｓｅｑｕｅｎｃｅ  ｃｏｒｒｅｌａｔｉｏｎ）を探索することができる。
【０１２６】
ＨＥＷ  ＳＴＡは、探索ＯＦＤＭシンボル１３５０に対するシーケンスコリレイションが第１のコリレイション特性として判断される場合、第１のＦＦＴの大きさと判断できる。また、ＨＥＷ  ＳＴＡは、探索ＯＦＤＭシンボル１３５０に対するシーケンスコリレイションが第２のコリレイション特性として判断される場合、第２のＦＦＴの大きさと判断できる。ＨＥＷ  ＳＴＡは、第２のＦＦＴと判断される場合、レガシ部分１３００以後に送信されるＯＦＤＭシンボルをＨＥＷ部分に含まれるＨＥＷ−ＳＴＦと判断できる。
【０１２７】
前述したように、ＨＥＷ部分でシグナリングフィールド（例えば、ＨＥＷ−ＳＩＧ−Ａ）以前にＨＥＷ−ＳＴＦが位置する場合、ＨＥＷ  ＳＴＡは、チャネル帯域幅情報を取得するために、ＨＥＷ−ＳＴＦに対応されるＯＦＤＭシンボルでブラインド探知を実行しなければならない。このような問題点を解決するために、ＨＥＷ−ＳＴＦシーケンスとチャネル帯域幅情報をマッピングすることができ、ＨＥＷ  ＳＴＡは、ＨＥＷ−ＳＴＦシーケンスに基づいてチャネル帯域幅情報を取得することができる。
【０１２８】
例えば、ＨＥＷフォーマットＰＰＤＵがＨＥＷ−ＳＴＦ、ＨＥＷ−ＬＴＦ、ＨＥＷ−ＳＩＧ−Ａ／Ｂ及びデータフィールドを含む場合、ＨＥＷ−ＳＴＦシーケンスがチャネル帯域幅情報を含み、ＨＥＷ−ＳＩＧが別途のチャネル帯域幅情報を含まないこともある。
【０１２９】
図１４は、本発明の実施例に係るレガシＳＴＡのＨＥＷ  ＰＰＤＵ受信時、動作を示す概念図である。
【０１３０】
図１４では図６で開示したＨＥＷフォーマットＰＰＤＵを仮定する。
【０１３１】
図１４を参照すると、レガシＳＴＡは、レガシ部分１４００以後に位置したフィールド（Ｌ−ＳＩＧ以後のフィールド）を探索してデコーディングすることができないフィールド（例えば、異なるＦＦＴの大きさに基づいて生成されたフィールド）である場合、追加的なデコーディングを実行せずに、Ｌ−ＳＩＧにある長さフィールド（ｌｅｎｇｔｈ  ｆｉｅｌｄ）に基づいてＮＡＶ（ｎｅｔｗｏｒｋ  ａｌｌｏｃａｔｉｏｎ  ｖｅｃｔｏｒ）設定をしてチャネル接続を延期（ｄｅｆｅｒ）することができる。
【０１３２】
即ち、互いに異なるＯＦＤＭ数秘術がレガシ部分１４００とＨＥＷ部分１４５０に適用されることによって、レガシＳＴＡは、ＨＥＷ部分１４５０をデコーディングが不可能なフィールドと判断できる。
【０１３３】
または、レガシＳＴＡは、受信したＰＰＤＵがデコーディング可能なＰＰＤＵフォーマットかどうかを判断するために、自動探知規則（ａｕｔｏ−ｄｅｔｅｃｔｉｏｎ  ｒｕｌｅ）を使用することで、レガシ部分１４００の後に位置した少なくとも一つのＯＦＤＭシンボルまでのコンステレーション（ｃｏｎｓｔｅｌｌａｔｉｏｎ）情報を判断することもできる。即ち、レガシＳＴＡは、レガシ部分の後に位置した少なくとも一つのＯＦＤＭシンボルのコンステレーション情報に基づいて受信したＰＰＤＵがデコーディング可能なＰＰＤＵフォーマットかどうかを判断することができる。
【０１３４】
図１５は、本発明の実施例が適用されることができる無線装置を示すブロック図である。
【０１３５】
図１５を参照すると、無線装置１５００は、前述した実施例を具現することができるＳＴＡであり、ＡＰ１５００または非ＡＰ  ＳＴＡ（ｎｏｎ−ＡＰ  ｓｔａｔｉｏｎ）（または、ＳＴＡ）１５５０である。
【０１３６】
ＡＰ１５００は、プロセッサ１５１０、メモリ１５２０及びＲＦ部（ｒａｄｉｏ  ｆｒｅｑｕｅｎｃｙ  ｕｎｉｔ）１５３０を含む。
【０１３７】
ＲＦ部１５３０は、プロセッサ１５１０と連結して無線信号を送信／受信することができる。
【０１３８】
プロセッサ１５１０は、本発明で提案された機能、過程及び／または方法を具現することができる。例えば、プロセッサ１５１０は、前述した本発明の実施例に係る無線装置の動作を実行するように具現されることができる。プロセッサは、図６乃至図１４の実施例で開示した無線装置の動作を実行することができる。
【０１３９】
例えば、プロセッサ１５１０は、第１の部分と第２の部分を含むＰＰＤＵを生成してＰＰＤＵを送信するように具現されることができる。第１の部分は、第１のＦＦＴの大きさによるＩＦＦＴが実行されて生成され、第２の部分は、第２のＦＦＴの大きさによるＩＦＦＦが実行されて生成されることができる。
【０１４０】
ＳＴＡ１５５０は、プロセッサ１５６０、メモリ１５７０及びＲＦ部（ｒａｄｉｏ  ｆｒｅｑｕｅｎｃｙ  ｕｎｉｔ）１５８０を含む。
【０１４１】
ＲＦ部１５８０は、プロセッサ１５６０と連結して無線信号を送信／受信することができる。
【０１４２】
プロセッサ１５６０は、本発明で提案された機能、過程及び／または方法を具現することができる。例えば、プロセッサ１５６０は、前述した本発明の実施例に係る無線装置の動作を実行するように具現されることができる。プロセッサは、図６乃至図１４の実施例で無線装置の動作を実行することができる。
【０１４３】
例えば、プロセッサ１５６０は、受信したＰＰＤＵで使われたＦＦＴの大きさの変化に基づいて受信したＰＰＤＵでＨＥＷ部分を判断するために具現されることができる。
【０１４４】
プロセッサ１５１０、１５６０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１５２０、１５７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部１５３０、１５８０は、無線信号を送信及び／または受信する一つ以上のアンテナを含むことができる。
【０１４５】
実施例がソフトウェアで具現される時、前述した技法は、前述した機能を遂行するモジュール（過程、機能など）で具現されることができる。モジュールは、メモリ１５２０、１５７０に格納され、プロセッサ１５１０、１５６０により実行されることができる。メモリ１５２０、１５７０は、プロセッサ１５１０、１５６０の内部または外部にあり、よく知られた多様な手段でプロセッサ１５１０、１５６０と連結されることができる。
【図１】
2016522614.tif 000003
【図２】
2016522614.tif 000004
【図３】
2016522614.tif 000005
【図４】
2016522614.tif 000006
【図５】
2016522614.tif 000007
【図６】
2016522614.tif 000008
【図７】
2016522614.tif 000009
【図８】
2016522614.tif 000010
【図９】
2016522614.tif 000011
【図１０】
2016522614.tif 000012
【図１１】
2016522614.tif 000013
【図１２】
2016522614.tif 000014
【図１３】
2016522614.tif 000015
【図１４】
2016522614.tif 000016
【図１５】
2016522614.tif 000017
【国際調査報告】
2016522614.tif 000018
2016522614.tif 000019
2016522614.tif 000020
2016522614.tif 000021